(57)【要約】【課題】  一つの操作部の操作によって、針体の突没操作と薬剤等の注入操作とを可能とする内視鏡用注射針及び内視鏡処置システムを提供すること。【解決手段】  貫通孔２が設けられた底部２５を有する外筒２６と、中空の針体６が底面２７Ａに接続されたシリンダ２７と、外筒２６内周とシリンダ２７外周との摺動抵抗よりも大きい作動抵抗でシリンダ２７内を摺動可能なピストン２８とを備えている。【選択図】  図３
2005261735.tif 000002
【特許請求の範囲】
【請求項１】
貫通孔が設けられた底部を有する外筒と、
該外筒内を摺動可能とされ、前記貫通孔を貫通可能な中空の針体が底面側に接続されたシリンダと、
前記外筒内周と前記シリンダ外周との摺動抵抗よりも大きい作動抵抗で前記シリンダ内を摺動可能なピストンとを備えていることを特徴とする内視鏡用注射針。
【請求項２】
可撓性を有する挿入部と該挿入部の基端側に接続される操作部と前記挿入部と前記操作部との内部を連通するチャンネルとを有する内視鏡と、
該チャンネル内を挿通可能な請求項１に記載の内視鏡用注射針と、
前記ピストンと接続されて前記チャンネルに沿って移動可能な駆動手段とを備え、
前記外筒外周と前記チャンネル内周との摺動抵抗が前記外筒内周と前記シリンダ外周との摺動抵抗よりも小さくされていることを特徴とする内視鏡処置システム。
【請求項３】
前記内視鏡用注射針と前記駆動手段とが着脱可能とされていることを特徴とする請求項１又は２に記載の内視鏡処置システム。
【発明の詳細な説明】
【技術分野】
【０００１】
本発明は、内視鏡用注射針及び内視鏡処置システムに関する。
【背景技術】
【０００２】
微量の薬剤等の注入物を患者の体内の治療対象組織に注入する際に、内視鏡とともに使用する注射針が種々提案されている（例えば、特許文献１、２参照。）。
しかし、針体を突出させた状態でチャンネル内を挿通させるとチャンネルを傷つける可能性があるため、針先がチューブ内から突没可能とされ、この突没操作を行う突没操作部と薬剤等を注入するためのシリンジ操作部とを有するものが提案されている（例えば、特許文献３参照。）。
【特許文献１】特開平８−１５０２０３号公報（第１図）
【特許文献２】特開平８−１５０２０５号公報（第１図）
【特許文献３】特開２００１−５８００６号公報（第１図、第２図）
【発明の開示】
【発明が解決しようとする課題】
【０００３】
しかしながら、上記従来の内視鏡用注射針は、針体の突没操作と薬剤等の注入操作とを異なる操作部によって行うため、操作が面倒である。
本発明は上記事情に鑑みて成されたものであり、一つの操作部の操作によって、針体の突没操作と薬剤等の注入操作とを可能とする内視鏡用注射針及び内視鏡処置システムを提供することを目的とする。
【課題を解決するための手段】
【０００４】
本発明は、上記課題を解決するため、以下の手段を採用する。
本発明に係る内視鏡用注射針は、貫通孔が設けられた底部を有する外筒と、該外筒内を摺動可能とされ、前記貫通孔を貫通可能な中空の針体が底面側に接続されたシリンダと、前記外筒内周と前記シリンダ外周との摺動抵抗よりも大きい作動抵抗で前記シリンダ内を摺動可能なピストンとを備えていることを特徴とする。
【０００５】
この内視鏡用注射針は、ピストンを押し込んだとき、ピストンがシリンダに対して移動する前にシリンダが外筒に対して移動するので、ピストンとともにシリンダを外筒底部まで移動させることができ、針体を外筒外方に突出させることができる。さらにそのままピストンを移動すると、シリンダが外筒に当接されてピストンをシリンダに対して移動させることができ、シリンダ内にピストンを押しこむことができる。
また、ピストンを引き込む際も、ピストンがシリンダに対して移動する前にシリンダが外筒に対して移動するので、ピストンとともにシリンダを外筒底部から移動させて針体を外筒内方に没入させることができる。
【０００６】
本発明に係る内視鏡処置システムは、可撓性を有する挿入部と該挿入部の基端側に接続される操作部と前記挿入部と前記操作部との内部を連通するチャンネルとを有する内視鏡と、該チャンネル内を挿通可能な請求項１に記載の内視鏡用注射針と、前記ピストンと接続されて前記チャンネルに沿って移動可能な駆動手段とを備え、前記外筒外周と前記チャンネル内周との摺動抵抗が前記外筒内周と前記シリンダ外周との摺動抵抗よりも小さくされていることを特徴とする。
【０００７】
この内視鏡処置システムは、本発明に係る内視鏡用注射針のピストンを駆動手段に接続して進退操作することによって、内視鏡用注射針全体をチャンネル内に進退操作させることができる。また、ピストンを移動させたとき、ピストンがシリンダに対して移動する前にシリンダが外筒に対して移動するので、ピストンとともにシリンダを外筒底部まで移動させることができ、針体を外筒外方に突出させることができる。さらにそのままピストンを移動すると、シリンダが外筒に当接されてピストンをシリンダに対して移動させることができ、シリンダ内にピストンを押しこむことができる。
また、ピストンを引き込む際も、ピストンがシリンダに対して移動する前にシリンダが外筒に対して移動するので、ピストンとともにシリンダを外筒底部から移動させて針体を外筒内方に没入させることができる。
【０００８】
また、本発明に係る内視鏡処置システムは、前記内視鏡処置システムであって、前記内視鏡用注射針と前記駆動手段とが着脱可能とされていることを特徴とする。
この内視鏡処置システムは、内視鏡用注射針の交換ができ、内視鏡用注射針を複数用意することによって、複数の注射処置を迅速に行うことができる。
【発明の効果】
【０００９】
本発明によれば、外筒に対するピストンの進退方向の移動操作のみによって針体の突没操作と薬剤等の注入操作を行うことができ、操作を容易に行うことができる。
【発明を実施するための最良の形態】
【００１０】
本発明に係る第１の実施形態について、図１を参照しながら説明する。
本実施形態に係る内視鏡用注射針１は、底面側が突出して形成されて貫通孔２が設けられた底部３を有する外筒５と、外筒５内を摺動可能とされ、貫通孔２を貫通可能な中空の針体６が先端に配された樹脂製の内チューブ７が底面８Ａ側に接続されたシリンダ８と、外筒５内周とシリンダ８外周との摺動抵抗よりも大きい作動抵抗でシリンダ８内を摺動可能なピストン１０とを備えている。
【００１１】
底部３には内チューブ７が内部で進退可能な樹脂製の外チューブ１１が貫通孔２に連通して接続されている。
ピストン１０はシリンダヘッド１２がシリンダ８内に圧入されて配されており、シリンダ８は、所定のクリアランスを有して外筒５内に挿入されている。
【００１２】
次に、本実施形態に係る内視鏡用注射針１の使用方法、及び、作用・効果について説明する。
まず、薬液をシリンダ８内に所定量注入する。
そして、予め体腔内に挿入した図示しない内視鏡の図示しないチャンネル内に針体６を引き込んだ状態で外チューブ１１を挿入し、先端部分をチャンネル先端から突出させる。
【００１３】
次に、ピストン１０を外筒５に対して押しこむ。このとき、外筒５の内周とシリンダ８の外周との摺動抵抗よりもピストン１０の作動抵抗のほうが大きいので、まず、ピストン１０とシリンダ８とがともに外筒５に対して移動する。この際、外チューブ１１に対して内チューブ７が先端側に移動して、外チューブ１１先端から針体６が突出する。
ここで、内チューブ７内の空気を放出させるため、薬液を少量押出す操作を行う。そのため、シリンダ８の底面８Ａを外筒５の底部３に当接させると、外筒５にシリンダ８が係止されるので、シリンダ８に対してピストン１０がシリンダ８の底面８Ａ側に移動する。
このとき、シリンダ８内の薬液が、ピストンヘッド１２に押されて内チューブ７内に流入し、針体６から放出される。
続いて、ピストン１０を保持した状態で外チューブ１１をチャンネル内にさらに挿入して対象組織を穿刺する。
この状態でさらにピストン１０を押出すと、上述のように針体６から薬液が放出されて対象組織内に注入される。
【００１４】
薬液の注入後にピストン１０を引き込む場合も、外筒５の内周とシリンダ８の外周との摺動抵抗よりもピストン１０の作動抵抗のほうが大きいので、シリンダ８がピストン１０とともに外筒５内を基端側に移動し、これにともない針体６を外チューブ１１内に引き込む。その後、外チューブ１１をチャンネルから抜去する。
この内視鏡用注射針１によれば、外筒５に対するピストン１０の進退方向の移動操作のみによって針体６の外チューブ１１からの突没操作と、針体６からの薬剤等の注入操作の両方を行うことができ、注液操作を容易に行うことができる。
【００１５】
次に、第２の実施形態について図２から図６を参照しながら説明する。
なお、上述した第１の実施形態と同様の構成要素には同一符号を付すとともに説明を省略する。
本実施形態に係る内視鏡処置システム１５は、図２に示すように、可撓性を有する挿入部１６と、挿入部１６の基端側に接続される操作部１７と、挿入部１６と操作部１７との内部を連通するチャンネル１８とを有する内視鏡２０と、チャンネル１８内を挿通可能な内視鏡用注射針ユニット２１と、チャンネル１８に沿って移動可能な駆動手段２２と、内視鏡用注射針ユニット２１と駆動手段２２とを着脱させる着脱手段２３とを備えている。
【００１６】
内視鏡用注射針ユニット２１は、図３に示すように、貫通孔２が設けられた底部２５を有する外筒２６と、中空の針体６が底面２７Ａに接続されたシリンダ２７と、外筒２６内周とシリンダ２７外周との摺動抵抗よりも大きい作動抵抗でシリンダ２７内を摺動可能なピストン２８とを備えている。
駆動手段２２は、コイル状に形成され、着脱手段２３によって内視鏡用注射針ユニット２１の外筒２６と着脱可能な外套管３０と、外套管３０内を進退可能とされ、着脱手段２３によってピストン２８と着脱可能な操作部材３１と、コイル状に形成されて操作部材３１の基端側を覆う操作管３２と、外套管３０を挟んで連結駆動可能に対向して配され、外套管３０を径方向から圧接する一対のローラ３３Ａ、３３Ｂと、操作管３２を挟んで連結駆動可能に対向して配され、操作管３２を径方向から圧接する一対のローラ３４Ａ、３４Ｂと、ローラ３３Ａ、３４Ａをそれぞれ回転駆動させるモータ等からなる駆動部３５と、駆動部３５に外套管３０、及び操作管３２をともにチャンネル１８に対して進退駆動指示を入力する進退スイッチ３６Ａと、操作管３２のみを外套管３０に対して進退駆動指示を入力する押引スイッチ３６Ｂとを備えている。
内視鏡２０の操作部１７には、チャンネル１８の途中に連通されて内視鏡用注射針ユニット２１を挿入可能な開口部３７が設けられている。操作部１７の基端には、外套管３０を収納可能な収納部３８を備えている。
【００１７】
着脱手段２３は、外套管３０の先端に接続され内周面の周方向に沿って溝部４０が設けられた短管部４１と、外筒２６の基端に接続され外周面に溝部４０と係合可能なフランジ部４２が配された口金４３と、ピストン２８の基端に接続されて操作部材３１の先端と接続可能な接続部４５とを備えている。
【００１８】
次に、本実施形態に係る内視鏡処置システム１５の操作方法、及び、作用・効果について説明する。
まず、内視鏡２０の挿入部１６を体腔内に挿入し、進退スイッチ３６Ａにて駆動部３５を駆動して、外套管３０及び操作管３２をチャンネル１８先端側へ移動させる方向にローラ３３Ａ、３４Ａを同一方向に同一速度で回転させて外套管３０及び操作部材３１の先端を開口部３７まで移動する。
続いて、シリンダ２７内に薬液４６が注液された内視鏡用注射針ユニット２１を開口部３７内に挿入して、図４に示すように、短管部４１の溝部４０に口金４３のフランジ部４２を係合し、操作部材３１の先端に接続部４５を接続する。
【００１９】
再び駆動部３５を駆動してローラ３３Ａ、３４Ａを回転駆動して外套管３０及び操作部材３１を移動させ、内視鏡用注射針ユニット２１をチャンネル１８先端側に移動してチャンネル１８先端から突出させる。
次に、押引スイッチ３６Ｂを操作してローラ３４Ａのみを回転駆動させ、外套管３０に対して操作管３２とともに操作部材３１を移動する。このとき、外筒２６の内周とシリンダ２７の外周との摺動抵抗よりもピストン２８の作動抵抗のほうが大きいので、第１の実施形態と同様に、操作部材３１に接続されたピストン２８がシリンダ２７とともに外筒２６に対して移動して、針体６が外筒２６の貫通孔２から突出する。
【００２０】
シリンダ２７の底面を外筒２６の底部２５に当接させた後、さらに操作部材３１をチャンネル１８先端側に移動すると、ピストン２８がシリンダ２７内を移動して、図６に示すように、薬液４６を針体６から放出する。
放出後、押引スイッチ３６Ｂを操作してローラ３４Ａを上述とは逆方向に回転駆動して操作部材３１をチャンネル１８の基端側に移動させる。これによって、シリンダ２７が外筒２６内に引き込まれて針体６が外筒２６内に収納される。そして、進退スイッチ３６Ａを操作してローラ３３Ａを上述とは逆方向に回転駆動させて外套管３０をチャンネル１８の基端側に移動して、内視鏡用注射ユニット２１を開口部３７まで移動する。
この内視鏡処置システム１５によれば、駆動手段２２によって内視鏡用注射ユニット２１をチャンネル１８内で進退移動させることができるとともに、ピストン２８を操作部材３１にて進退操作することによって、第１の実施形態と同様の作用・効果を得ることができる。
【００２１】
また、内視鏡用注射針ユニット２１が着脱可能とされているので、内視鏡用注射針ユニット２１のみの交換ができ、内視鏡用注射針ユニット２１を複数用意することによって、複数の注射処置を迅速に行うことができる。
【００２２】
なお、本発明の技術範囲は上記実施の形態に限定されるものではなく、本発明の趣旨を逸脱しない範囲において種々の変更を加えることが可能である。
例えば、上記実施形態では、開口部３７にて内視鏡用注射針ユニット２１の着脱操作を行っているとしているが、チャンネル先端にて着脱させても構わない。
また、薬液はシリンダ内に予め注入されていても、後から注入しても構わない。
【図面の簡単な説明】
【００２３】
【図１】本発明の第１の実施形態に係る内視鏡用注射針を示す一部断面を含む側面図である。
【図２】本発明の第２の実施形態に係る内視鏡処置システムを示す一部断面を含む側面図である。
【図３】本発明の第２の実施形態に係る内視鏡用注射針ユニットを示す断面図である。
【図４】本発明の第２の実施形態に係る内視鏡処置システムの操作方法を示す説明図である。
【図５】本発明の第２の実施形態に係る内視鏡処置システムの操作方法を示す説明図である。
【図６】本発明の第２の実施形態に係る内視鏡処置システムの操作方法を示す説明図である。
【符号の説明】
【００２４】
１  内視鏡用注射針
２  貫通孔
３、２５  底部
５、２６  外筒
６  針体
８、２７  シリンダ
１０、２８  ピストン
１５  内視鏡処置システム
１６  挿入部
１７  操作部
１８  チャンネル
２０  内視鏡
２１  内視鏡用注射針ユニット（内視鏡用注射針）
２２  駆動手段
【図１】
2005261735.tif 000003
【図２】
2005261735.tif 000004
【図３】
2005261735.tif 000005
【図４】
2005261735.tif 000006
【図５】
2005261735.tif 000007
【図６】
2005261735.tif 000008